(57)【特許請求の範囲】
【請求項１】
携帯型電話機を有線または無線により接続し、当該携帯型電話機に登録されている電話帳データを携帯型電話機ごとに区別して記録することのできる据置型電話機であって、
電話帳データの登録モードと電話帳データの検索モードとを設定するためのモード設定手段と、
前記据置型電話機で入力される共同で使用可能な電話帳データを登録するための第１記憶領域と前記携帯型電話機で登録された電話帳データを携帯型電話機ごとに区別して登録するための第２記憶領域とを有する記憶手段と、
前記携帯型電話機の接続／非接続を検出する接続検出手段と、
前記接続検出手段により前記携帯型電話機の接続が検出されると、前記携帯型電話機から当該携帯型電話機を識別するための固有識別情報と電話帳データを取得する情報取得手段と、
前記電話帳データの登録モードにおいて、前記情報取得手段により、接続された携帯型電話機から固有識別情報と電話帳データが取得されると、前記記憶手段の第２記憶領域に、当該電話帳データが前記固有識別情報に対応付けて登録されているか否かを判別する第１の判別手段と、
前記第１の判別手段により登録されていると判別されると、前記情報取得手段により取得された電話帳データと、前記記憶手段の第２記憶領域に記憶された電話帳データとが一致するか否かを確認する電話帳データ確認手段と、
前記第１の判別手段により前記情報取得手段により取得された電話帳データが記憶されていないと判別されると、前記記憶手段の第２記憶領域に当該電話帳データを固有識別情報に対応付けて新規に登録し、前記電話帳データが登録されていると判別され、且つ、前記電話帳データ確認手段により電話帳データが一致しないと確認されると、前記記憶手段の第２記憶領域に前記固有識別情報に対応付けて登録された電話帳データを前記情報取得手段により取得された電話帳データで更新する登録制御手段と、
相手先電話番号を検索するための情報を入力するための入力手段と、
前記電話帳データの検索モードにおいて、前記情報取得手段により、接続された携帯型電話機から固有識別情報と電話帳データが取得されると、前記記憶手段の第２記憶領域に、当該電話帳データが前記固有識別情報に対応付けて登録されているか否かを判別する第２の判別手段と、
前記第２の判別手段により、前記電話帳データが登録されていると判別されたときは、前記記憶手段の第２記憶領域から前記情報取得手段により取得された固有識別情報に対応する電話帳データを読み出す電話帳データ読出手段と、
前記電話帳データ読出手段により読み出された電話帳データと前記情報取得手段により取得された電話帳データとを用いて前記入力手段から入力された検索情報に対応する相手先電話番号を検索する検索手段と、
を備えたことを特徴とする据置型電話機。
【請求項２】
前記電話帳データ読出手段は、前記第２の判別手段により、前記電話帳データが登録されていないと判別されたときは、前記記憶手段の第１記憶領域から共同で使用可能な電話帳データを読み出し、
前記検索手段は、前記第２の判別手段により、前記電話帳データが登録されていないと判別されたときは、前記電話帳データ読出手段により読み出された共同で使用可能な電話帳データを用いて前記入力手段から入力された検索情報に対応する相手先電話番号を検索することを特徴とする請求項１に記載の据置型電話機。
【請求項３】
前記電話帳データ読出手段は、前記第２の判別手段により、前記電話帳データが登録されていると判別されたときは、前記記憶手段の第２記憶領域から前記情報取得手段により取得された固有識別情報に対応する電話帳データのうち、当該情報取得手段により取得された電話帳データと異なる電話帳データのみを読み出すことを特徴とする請求項１または２に記載の据置型電話機。
【請求項４】
前記電話帳データには通話用の相手先電話番号とファクシミリ通信用の相手先電話番号が含まれ、
前記電話帳データから前記通話用の相手先電話番号を検索するための操作又は前記ファクシミリ通話用の相手先電話番号を検索するための操作を行うための操作手段と、
前記電話帳データの検索モードにおいて、前記操作手段により前記通話用の相手先電話番号を検索するための操作が行われると、前記情報取得手段により取得された電話帳データ、前記記憶手段の第２記憶領域に前記情報取得手段により取得された固有識別情報に対応して登録された電話帳データ、前記記憶手段の第１記憶領域に登録された共同で使用可能な電話帳データの順で前記入力手段から入力された検索情報に対する相手先電話番号を検索し、前記操作手段により前記ファクシミリ通信用の相手先電話番号を検索するための操作が行われると、前記記憶手段の第２記憶領域に前記情報取得手段により取得された固有識別情報に対応して登録された電話帳データ、前記記憶手段の第１記憶領域に登録された共同で使用可能な電話帳データの順で前記入力手段から入力された検索情報に対する相手先電話番号を検索する第２の検索手段と、をさらに備えたことを特徴とする請求項１ないし３のいずれかに記載の据置型電話機。
【請求項５】
前記検索手段又は第２の検索手段によって検索された相手先電話番号を選択する選択手段と、
前記選択手段により選択操作が行われると、選択された相手先電話番号を発信する発信手段をさらに備えたことを特徴とする請求項１ないし４のいずれかに記載の据置型電話機。
【請求項６】
前記モード設定手段は、さらに前記記憶手段に記録された固有識別情報を変更するための識別情報変更モードを設定可能になされ、
前記識別情報変更モードにおいて、変更前の固有識別情報と変更後の固有識別情報とを取得する第２の情報取得手段と、
前記記憶手段の第２記憶領域に記憶された、前記第２の情報取得手段により取得された変更前の固有識別情報と同一の固有識別情報を当該第２の情報取得手段により取得された変更後の固有識別情報に書き換える変更手段と、
をさらに備えたことを特徴とする請求項１ないし５のいずれかに記載の据置型電話機。
【請求項７】
前記記憶領域に記憶された電話帳データを印字するための印字手段と当該電話帳データを表示するための表示手段とをさらに備えたことを特徴とする請求項１ないし６のいずれかに記載の据置型電話機。
【請求項８】
コンピュータを、携帯型電話機を有線または無線により接続し、当該携帯型電話機に登録されている電話帳データを携帯型電話機ごとに区別して記録することのできる据置型電話機であって、
電話帳データの登録モードと電話帳データの検索モードとを設定するためのモード設定手段と、
前記据置型電話機で入力される共同で使用可能な電話帳データを登録するための第１記憶領域と前記携帯型電話機で登録された電話帳データを携帯型電話機ごとに区別して登録するための第２記憶領域とを有する記憶手段と、
前記携帯型電話機の接続／非接続を検出する接続検出手段と、
前記接続検出手段により前記携帯型電話機の接続が検出されると、前記携帯型電話機から当該携帯型電話機を識別するための固有識別情報と電話帳データを取得する情報取得手段と、
前記電話帳データの登録モードにおいて、前記情報取得手段により、接続された携帯型電話機から固有識別情報と電話帳データが取得されると、前記記憶手段の第２記憶領域に、当該電話帳データが前記固有識別情報に対応付けて登録されているか否かを判別する第１の判別手段と、
前記第１の判別手段により前記情報取得手段により取得された電話帳データが記憶されていないと判別されると、前記記憶手段の第２記憶領域に当該電話帳データを固有識別情報に対応付けて新規に登録し、前記電話帳データが登録されていると判別されると、前記記憶手段の第２記憶領域に前記固有識別情報に対応付けて登録された電話帳データを前記情報取得手段により取得された電話帳データで更新する登録制御手段と、
相手先電話番号を検索するための情報を入力するための入力手段と、
前記電話帳データの検索モードにおいて、前記情報取得手段により、接続された携帯型電話機から固有識別情報と電話帳データが取得されると、前記記憶手段の第２記憶領域に、当該電話帳データが前記固有識別情報に対応付けて登録されているか否かを判別する第２の判別手段と、
前記第２の判別手段により、前記電話帳データが登録されていると判別されたときは、前記記憶手段の第２記憶領域から前記情報取得手段により取得された固有識別情報に対応する電話帳データを読み出す電話帳データ読出手段と、
前記電話帳データ読出手段により読み出された電話帳データと前記情報取得手段により取得された電話帳データとを用いて前記入力手段から入力された検索情報に対応する相手先電話番号を検索する検索手段と、
して機能させるためのプログラムを記録したコンピュータ読み取り可能な記憶媒体。
【発明の詳細な説明】
【０００１】
【発明の属する技術分野】
本発明は、たとえば携帯型電話機と有線または無線により相互に交信できるファクシミリ装置などの据置型電話機に関する。
【０００２】
【従来の技術】
たとえば、ファクシミリ装置は、一家に１台あるいは一部所に１台として共用されることが多く、自分が電話帳機能を使うときには、他人が利用する関係の無い相手先電話番号までも表示されて使い勝手が良くないという面がある。そのため、各利用者に専用とした個人ボタンを複数設け、個人ボタンごとに各自利用の相手先電話番号を登録できるといったパーソナル電話帳としての機能を備えたファクシミリ装置もある。
【０００３】
【発明が解決しようとする課題】
しかしながら、上記個人ボタンを設けたファクシミリ装置では、各自利用の相手先電話番号を個人ボタンごとに割り当てて登録操作を行ったり、呼び出そうとする毎に個人ボタンを押下しなければならず、ボタン操作が面倒になるという難点があった。
【０００４】
また、個人ボタンの数だけしかパーソナル電話帳を開設できず、パーソナル電話帳として利用できる数が制約を受けるという問題もあった。
【０００５】
特に、たとえば携帯型電話機に登録された多数の相手先電話番号をファクシミリ装置に登録しようとする場合には、相手先電話番号をいちいち登録しなければならないことから登録操作が非常に煩わしく、個人ボタン数を超える台数の携帯型電話機に対処することができなかった。
【０００６】
本発明は、上記の点に鑑みて提案されたものであって、携帯型通信機に蓄積された情報などを簡単に登録したり、登録した情報を呼び出したりすることができ、できる限り多くの携帯型通信機に対処できる通信装置、およびそのような通信装置の動作を実現するためのプログラムを記憶した記憶媒体を提供することを目的とする。
【０００７】
【課題を解決するための手段】
上記目的を達成するために、本発明は、携帯型電話機を有線または無線により接続し、当該携帯型電話機に登録されている電話帳データを携帯型電話機ごとに区別して記録することのできる据置型電話機であって、電話帳データの登録モードと電話帳データの検索モードとを設定するためのモード設定手段と、前記据置型電話機で入力される共同で使用可能な電話帳データを登録するための第１記憶領域と前記携帯型電話機で登録された電話帳データを携帯型電話機ごとに区別して登録するための第２記憶領域とを有する記憶手段と、前記携帯型電話機の接続／非接続を検出する接続検出手段と、前記接続検出手段により前記携帯型電話機の接続が検出されると、前記携帯型電話機から当該携帯型電話機を識別するための固有識別情報と電話帳データを取得する情報取得手段と、前記電話帳データの登録モードにおいて、前記情報取得手段により、接続された携帯型電話機から固有識別情報と電話帳データが取得されると、前記記憶手段の第２記憶領域に、当該電話帳データが前記固有識別情報に対応付けて登録されているか否かを判別する第１の判別手段と、前記第１の判別手段により登録されていると判別されると、前記情報取得手段により取得された電話帳データと、前記記憶手段の第２記憶領域に記憶された電話帳データとが一致するか否かを確認する電話帳データ確認手段と、前記第１の判別手段により前記情報取得手段により取得された電話帳データが記憶されていないと判別されると、前記記憶手段の第２記憶領域に当該電話帳データを固有識別情報に対応付けて新規に登録し、前記電話帳データが登録されていると判別され、且つ、前記電話帳データ確認手段により電話帳データが一致しないと確認されると、前記記憶手段の第２記憶領域に前記固有識別情報に対応付けて登録された電話帳データを前記情報取得手段により取得された電話帳データで更新する登録制御手段と、相手先電話番号を検索するための情報を入力するための入力手段と、前記電話帳データの検索モードにおいて、前記情報取得手段により、接続された携帯型電話機から固有識別情報と電話帳データが取得されると、前記記憶手段の第２記憶領域に、当該電話帳データが前記固有識別情報に対応付けて登録されているか否かを判別する第２の判別手段と、前記第２の判別手段により、前記電話帳データが登録されていると判別されたときは、前記記憶手段の第２記憶領域から前記情報取得手段により取得された固有識別情報に対応する電話帳データを読み出す電話帳データ読出手段と、前記電話帳データ読出手段により読み出された電話帳データと前記情報取得手段により取得された電話帳データとを用いて前記入力手段から入力された検索情報に対応する相手先電話番号を検索する検索手段と、を備えたことを特徴とする（請求項１）。
【０００８】
このような通信装置によれば、携帯型電話機の固有識別情報と一対一に対応して記憶手段に第２記憶領域が確保され、その第２記憶領域に当該携帯型電話機で登録された電話帳データが収められるので、固有識別情報を手がかりとして携帯型電話機ごとに電話帳データを簡単に登録することができ、記憶容量が許す限り多くの携帯型電話機に対処することができる。
【０００９】
【００１０】
【００１１】
【００１２】
【００１３】
また、好ましくは、前記電話帳データ読出手段は、前記第２の判別手段により、前記電話帳データが登録されていないと判別されたときは、前記記憶手段の第１記憶領域から共同で使用可能な電話帳データを読み出し、前記検索手段は、前記第２の判別手段により、前記電話帳データが登録されていないと判別されたときは、前記電話帳データ読出手段により読み出された共同で使用可能な電話帳データを用いて前記入力手段から入力された検索情報に対応する相手先電話番号を検索するとよい（請求項２）。
【００１４】
また、好ましくは、前記電話帳データ読出手段は、前記第２の判別手段により、前記電話帳データが登録されていると判別されたときは、前記記憶手段の第２記憶領域から前記情報取得手段により取得された固有識別情報に対応する電話帳データのうち、当該情報取得手段により取得された電話帳データと異なる電話帳データのみを読み出すとよい（請求項３）。
【００１５】
また、好ましくは、前記電話帳データには通話用の相手先電話番号とファクシミリ通信用の相手先電話番号が含まれ、前記電話帳データから前記通話用の相手先電話番号を検索するための操作又は前記ファクシミリ通話用の相手先電話番号を検索するための操作を行うための操作手段と、前記電話帳データの検索モードにおいて、前記操作手段により前記通話用の相手先電話番号を検索するための操作が行われると、前記情報取得手段により取得された電話帳データ、前記記憶手段の第２記憶領域に前記情報取得手段により取得された個別識別情報に対応して登録された電話帳データ、前記記憶手段の第１記憶領域に登録された共同で使用可能な電話帳データの順で前記入力手段から入力された検索情報に対する相手先電話番号を検索し、前記操作手段により前記ファクシミリ通信用の相手先電話番号を検索するための操作が行われると、前記記憶手段の第２記憶領域に前記情報取得手段により取得された個別識別情報に対応して登録された電話帳データ、前記記憶手段の第１記憶領域に登録された共同で使用可能な電話帳データの順で前記入力手段から入力された検索情報に対する相手先電話番号を検索する第２の検索手段と、をさらに備えるとよい（請求項４）。
【００１６】
【００１７】
また、好ましくは、前記検索手段又は第２の検索手段によって検索された相手先電話番号を選択する選択手段と、前記選択手段により選択操作が行われると、選択された相手先電話番号を発信する発信手段をさらに備えるとよい（請求項５）。
【００１８】
【００１９】
さらに、好ましくは、前記モード設定手段は、さらに前記記憶手段に記録された固有識別情報を変更するための識別情報変更モードを設定可能になされ、前記識別情報変更モードにおいて、変更前の固有識別情報と変更後の固有識別情報とを取得する第２の情報取得手段と、前記記憶手段の第２記憶領域に記憶された、前記第２の情報取得手段により取得された変更前の固有識別情報と同一の固有識別情報を当該第２の情報取得手段により取得された変更後の固有識別情報に書き換える変更手段と、をさらに備えるとよい（請求項６）
【００２０】
このような通信装置によれば、携帯型電話機を買い替えた場合でも、記憶手段の第２記憶領域に記憶された固有識別情報を新しい携帯型電話機の固有識別情報に書き換えるだけで対処することができる。
【００２１】
【００２２】
【００２３】
【００２４】
【００２５】
【００２６】
【００２７】
さらに、好ましくは、前記記憶領域に記憶された電話帳データを印字するための印字手段と当該電話帳データを表示するための表示手段とをさらに備えるとよい（請求項７）。
【００２８】
このような通信装置によれば、記憶手段の第２記憶領域に取り込まれた相手先電話番号の一覧を印字したり、表示手段に表示したりすることができる。
【００２９】
【００３０】
【００３１】
【００３２】
【００３３】
また、本発明は、コンピュータを、携帯型電話機を有線または無線により接続し、当該携帯型電話機に登録されている電話帳データを携帯型電話機ごとに区別して記録することのできる据置型電話機であって、電話帳データの登録モードと電話帳データの検索モードとを設定するためのモード設定手段と、前記据置型電話機で入力される共同で使用可能な電話帳データを登録するための第１記憶領域と前記携帯型電話機で登録された電話帳データを携帯型電話機ごとに区別して登録するための第２記憶領域とを有する記憶手段と、前記携帯型電話機の接続／非接続を検出する接続検出手段と、前記接続検出手段により前記携帯型電話機の接続が検出されると、前記携帯型電話機から当該携帯型電話機を識別するための固有識別情報と電話帳データを取得する情報取得手段と、前記電話帳データの登録モードにおいて、前記情報取得手段により、接続された携帯型電話機から固有識別情報と電話帳データが取得されると、前記記憶手段の第２記憶領域に、当該電話帳データが前記固有識別情報に対応付けて登録されているか否かを判別する第１の判別手段と、前記第１の判別手段により前記情報取得手段により取得された電話帳データが記憶されていないと判別されると、前記記憶手段の第２記憶領域に当該電話帳データを固有識別情報に対応付けて新規に登録し、前記電話帳データが登録されていると判別されると、前記記憶手段の第２記憶領域に前記固有識別情報に対応付けて登録された電話帳データを前記情報取得手段により取得された電話帳データで更新する登録制御手段と、相手先電話番号を検索するための情報を入力するための入力手段と、前記電話帳データの検索モードにおいて、前記情報取得手段により、接続された携帯型電話機から固有識別情報と電話帳データが取得されると、前記記憶手段の第２記憶領域に、当該電話帳データが前記固有識別情報に対応付けて登録されているか否かを判別する第２の判別手段と、前記第２の判別手段により、前記電話帳データが登録されていると判別されたときは、前記記憶手段の第２記憶領域から前記情報取得手段により取得された固有識別情報に対応する電話帳データを読み出す電話帳データ読出手段と、前記電話帳データ読出手段により読み出された電話帳データと前記情報取得手段により取得された電話帳データとを用いて前記入力手段から入力された検索情報に対応する相手先電話番号を検索する検索手段と、して機能させるためのプログラムを記録したコンピュータ読み取り可能な記憶媒体である（請求項８）。
【００３４】
このような記憶媒体によれば、記憶されたプログラムに基づいてＣＰＵを動作させることにより、請求項１に記載の据置型電話機の動作を実現することができる。
【００３５】
【００３６】
【００３７】
【発明の実施の形態】
以下、本発明の好ましい実施の形態について図面を参照して説明する。
【００３８】
図１は、本発明に係る通信装置の一実施形態として、ファクシミリ装置の外観を説明するための説明図である。この図を参照して簡単に説明すると、本発明に係るファクシミリ装置Ａの操作部２３には、テンキーや各種の機能ボタンが設けられている。機能ボタンには、電話帳機能に対応して相手先電話番号に関する蓄積情報としての電話帳データを登録したり、検索したりする際に操作するための電話帳ボタン２３Ａや、伝言機能などに対応して音声に関する伝言情報としての伝言メッセージデータを再生したり、録音したりする際に操作するための再生／録音ボタン２３Ｂがある。また、操作部２３には、伝言メッセージを録音するためのマイク２３Ｃも設けられている。表示部２４には、一例として３２０×２４０ドットとした液晶ディスプレイが設けられており、各種の操作に応じて一度に多数の情報を表示することができる。
【００３９】
図２は、ファクシミリ装置Ａの回路構成を示したブロック図である。この図に示すように、ファクシミリ装置Ａは、ＣＰＵ１０、ＮＣＵ１１、ＲＡＭ１２、モデム１３、ＲＯＭ１４、ＮＶＲＡＭ（不揮発性ＲＡＭ：Non-Volatile RAM）１５、ゲートアレイ１６、コーデック１７、ＤＭＡＣ１８、読取部２１、印刷部２２、操作部２３、表示部２４、および外付接続部２５などを具備して概略構成されている。ＣＰＵ１０、ＮＣＵ１１、ＲＡＭ１２、モデム１３、ＲＯＭ１４、ＮＶＲＡＭ１５、ゲートアレイ１６、コーデック１７、およびＤＭＡＣ１８は、バス線２７により相互に接続されている。バス線２７には、アドレスバス、データバス、および制御信号線が含まれる。ゲートアレイ１６には、読取部２１、印刷部２２、操作部２３、表示部２４、および外付接続部２５が接続されている。ＮＣＵ１１には、公衆電話回線２８が接続されている。一方、外付接続部２５には、携帯型通信機としての携帯型電話機Ｂが接続されている。
【００４０】
ＣＰＵ１０は、ファクシミリ装置全体の動作を制御する。ＮＣＵ１１は、公衆電話回線２８に接続されて網制御を行う。ＲＡＭ１２は、ＣＰＵ１０の作業領域や一時的なデータの格納領域などを提供する。モデム１３は、ファクシミリデータの変調や復調などを行う。ＲＯＭ１４は、ＣＰＵ１０が実行すべきプログラムなどを記憶している。ＮＶＲＡＭ１５は、電話帳データや伝言メッセージデータを記憶する。特に、ＮＶＲＡＭ１５には、本装置を共同で使用するのに際して電話帳データや伝言メッセージデータなどを記憶するための記憶領域のほか、私的な携帯型電話機Ｂの電話帳データを登録するための記憶領域や、携帯型電話機Ｂの携帯電話番号をパスワード代わりにして伝言メッセージデータを記録するための記憶領域が確保されている。このＮＶＲＡＭ１５の詳細については後に説明する。ゲートアレイ１６は、ＣＰＵ１０と各部２１〜２５とのインターフェイスとして機能する。コーデック１７は、ファクシミリデータなどの符号化や復号化を行う。ＤＭＡＣ１８は、主にＲＡＭ１２へのデータの書き込みや読み出しを行う。
【００４１】
読取部２１は、イメージセンサやＬＥＤ光源などを備え、原稿などから文字や図形などの画像を読み取る。印字手段としての印刷部２２は、たとえばインクジェット方式などにより文字や図形などの画像を用紙上に印刷する。操作部２３は、先述したようにテンキーや各種の機能ボタンなどを備え、ユーザからの入力信号をＣＰＵ１０に伝える。表示部２４は、先述したように液晶ディスプレイを備え、各種の情報を表示する。外付接続部２５は、携帯型電話機Ｂをケーブル接続するためのポートであって、この携帯型電話機Ｂとの間でデータや制御コマンドをやり取りする。なお、携帯型電話機Ｂは、移動体通信網を介して相手先と音声をやり取りするために主に用いられるものであるが、この携帯型電話機Ｂの図示しないメモリには、電話帳機能に対応して相手先電話番号などに関する電話帳データが記憶されており、この電話帳データをファクシミリ装置Ａへと転送することができる。一般に携帯型電話機Ｂには、固有識別情報としての携帯電話番号が割り当てられており、この携帯電話番号を主たるキーとすることで以下に説明する機能が実現されている。
【００４２】
要点について説明すると、本ファクシミリ装置ＡのＣＰＵ１０は、携帯型電話機Ｂとの間で制御コマンドをやり取りすることにより、その携帯型電話機Ｂから携帯電話番号を取得し、その携帯電話番号と一対一に対応する記憶領域をＮＶＲＡＭ１５に確保し、その記憶領域に携帯型電話機Ｂの電話帳データを取り込むといった動作を行う。つまり、ＮＶＲＡＭ１５には、各携帯電話番号と一対一に対応して各携帯型電話機の電話帳データを登録することができ、こうして登録された電話帳データを該当する携帯型電話機が接続されている場合に呼び出すといったパーソナルサービス機能が実現されている。
【００４３】
図３は、ＮＶＲＡＭ１５のメモリマップ構造を簡略化して示した概要図であって、この図も参照してパーソナルサービス機能の一例について説明すると、はじめて携帯型電話機Ｂを外付接続部２５に接続した状態とし、電話帳ボタン２３Ａを押下した場合、まず最初にＣＰＵ１０は、その携帯型電話機Ｂから携帯電話番号を読み出し、その携帯電話番号がＮＶＲＡＭ１５のテーブル領域に既存の携帯電話番号と一致する領域が存在するか否かを照合する。この場合、存在しないとの照合結果が得られることから、ＣＰＵ１０は、携帯型電話機Ｂの携帯電話番号と一対一に対応したエリア（記憶領域）を実記憶領域内に新たに確保し、そのエリア番号と携帯電話番号とを対応付けてテーブル領域に書き加える。これにより、実記憶領域の対応するエリアには、携帯型電話機Ｂの電話帳データが登録されることとなる。
【００４４】
その一方、既に登録済みの携帯型電話機Ｂを外付接続部２５に接続して電話帳ボタン２３Ａを押下した場合には、ＣＰＵ１０によってその携帯型電話機Ｂから読み出した携帯電話番号がテーブル領域に既に書き込まれたものと一致するとの照合結果が得られる。この場合、ＣＰＵ１０は、携帯型電話機Ｂから電話帳データを直接読み出して表示部２４に表示させ、その次には、実記憶領域内の対応するエリアに既に登録済みの電話帳データを読み出して表示部２４に表示させ、最後に、共同で用いるために登録された電話帳データをエリア０から読み出して表示部２４に表示させる。このようにして電話帳データを表示させる際には、電話帳ボタン２３Ａを操作することでスクロール表示させることができる。また、所望とする相手先電話番号については、電話帳データのスクロール表示や文字検索によって選択することができ、こうして選択された相手先電話番号を発呼することができる。もちろん、電話帳データは、表示用データとして用いられるだけでなく、印刷部２２を介して相手先電話番号の一覧を用紙上に印字するためにも用いることができる。
【００４５】
また、本ファクシミリ装置Ａでは、上記した電話帳データと同様に、伝言メッセージデータについても携帯電話番号と一対一に対応したエリアごとに分けて記録しておくことができる。たとえば、携帯型電話機Ｂのユーザに宛てた伝言メッセージデータは、その携帯電話番号に対応するエリアに記録され、携帯型電話機Ｂのユーザ本人が伝言メッセージを聴きたい場合には、携帯型電話機Ｂを接続するだけで対応した伝言メッセージデータの件数の表示や報知、または自動再生などをさせることができる。
【００４６】
要するに、パーソナルサービス機能によれば、携帯型電話機ごとに異なる携帯電話番号を主キーとして電話帳データや伝言メッセージデータをＮＶＲＡＭ１５に登録することができる。また、各携帯型電話機に対応して電話帳データや伝言メッセージデータが既に登録されている場合には、現時点で接続された携帯型電話機に対応する電話帳データや伝言メッセージデータを呼び出すことができる。さらに、ＮＶＲＡＭ１５の記憶容量が許す限り、携帯型電話機ごとに対応関係をなす記憶領域を確保することができ、多数の携帯型電話機に対処することができる。なお、図３の実記憶領域内における各エリアは、新規に確保する場合および拡張する場合に限らず、必ずしもアドレスが連続した記憶領域である必要はなく、各携帯電話番号との対応関係がテーブル領域に規定される限りにおいては、アドレスが不連続とした領域であっても良い。たとえば、一つの携帯電話番号と一対一に対応するエリアは、分散した状態で存在しても良い。また、新たに領域を確保する場合の領域の大きさは、固定であってもさらに接続される携帯型電話機の蓄積されている情報に合わせて可変しても良い。
【００４７】
すなわち、ＣＰＵ１０は、携帯型通信機の接続／非接続を検出する接続検出手段と、接続検出手段により接続を検出しているときに、携帯型通信機から固有識別情報および蓄積情報を取得する情報取得手段と、情報記憶手段（ＮＶＲＡＭ１５）内に情報取得手段により取得した固有識別情報と一対一に対応させて、携帯型通信機の蓄積情報を記憶するための記憶領域を確保する記憶領域確保手段と、記憶領域確保手段により確保した記憶領域に対する読み書きを制御する制御手段とを実現している。また、ＣＰＵ１０は、接続検出手段により携帯型通信機の接続を検出しているときに、情報取得手段によりその携帯型通信機から固有識別情報を取得し、その固有識別情報と対応する既存の前記記憶領域が存在するかどうかを照合する固有識別情報照合手段を実現している。さらに、ＣＰＵ１０は、情報記憶手段内に情報取得手段により取得した固有識別情報と一対一に対応させて、外部から伝言情報を記録するための記憶領域を確保する記憶領域確保手段と、記憶領域確保手段により確保した記憶領域に対し、外部からの伝言情報を記録する伝言情報記録手段と、携帯型通信機の接続を検出しているときに、伝言情報記録手段により記憶領域に記録された伝言情報を再生する伝言情報再生手段とを実現している。
【００４８】
ＲＯＭ１４は、携帯型通信機を有線または無線により接続し得る通信装置を制御するためのプログラムを記憶した記憶媒体であって、携帯型通信機の接続／非接続を検出するための接続検出プログラムと、接続検出プログラムに基づいて接続を検出しているときに、携帯型通信機から固有識別情報および蓄積情報を取得するための情報取得プログラムと、固有識別情報取得プログラムに基づいて取得した固有識別情報と一対一に対応させて、携帯型通信機の蓄積情報を記憶するための記憶領域を確保するための記憶領域確保プログラムと、記憶領域確保プログラムに基づいて確保された記憶領域に対し、携帯型通信機から蓄積情報を記憶するための蓄積情報記憶プログラムとを含むプログラムを記憶した記憶媒体を実現している。また、ＲＯＭ１４は、情報取得プログラムに基づいて取得した固有識別情報と一対一に対応させて、外部から伝言情報を記録するための記憶領域を確保するための記憶領域確保プログラムと、記憶領域確保プログラムに基づいて確保した記憶領域に対し、外部からの伝言情報を記録するための伝言情報記録プログラムと、携帯型通信機の接続を検出しているときに、伝言情報記録プログラムに基づいて記憶領域に記録した伝言情報を再生するための伝言情報再生プログラムとを含むプログラムを記憶した記憶媒体を実現している。
【００４９】
次に、パーソナルサービス機能に関連したファクシミリ装置Ａの動作について説明する。
【００５０】
図４は、パーソナル電話帳登録処理の動作手順を示すフローチャートである。なお、この処理が始まる際には、携帯型電話機Ｂが接続されているとする。接続されているとは、通信が可能な状態にあることを示している。
【００５１】
図４において、携帯型電話機Ｂが接続状態にある場合、ＣＰＵ１０は、携帯型電話機Ｂと制御コマンドをやり取りしてそれから携帯電話番号を取得する（Ｓ１）。
【００５２】
取得した携帯電話番号がＮＶＲＡＭ１５のテーブル領域に既に登録済みの場合（Ｓ２：ＹＥＳ）、ＣＰＵ１０は、その携帯電話番号に対応して既に登録済みとされた電話帳データと、携帯型電話機Ｂから直接読み込んで得た電話帳データとの双方の内容が一致するか否かチェックする（Ｓ３）。このとき、電話帳データを表示した状態としても、表示しない状態としてもいずれであっても良い。
【００５３】
双方の電話帳データの内容が一致しない場合（Ｓ４：ＮＯ）、ＣＰＵ１０は、その旨をユーザに伝えるべく報知音を発生させ、さらに表示部２４で報知する（Ｓ５）。
【００５４】
報知を受けたユーザにより電話帳データを更新すべき指示がなされた場合（Ｓ６：ＹＥＳ）、ＣＰＵ１０は、電話帳データの更新処理を行う（Ｓ７）。この電話帳データの更新処理においては、双方の電話帳データにおいて重複しないデータが追加されるほか、たとえばＮＶＲＡＭ１５に現存する電話帳データを携帯型電話機Ｂの電話帳データに一括して置き換えるとしても良い。このとき、確保されている領域が必要な領域より小さい場合には、自動または手動で領域の拡張を行うとしても良い。
【００５５】
その後、ユーザにより印刷指示がなされると（Ｓ８：ＹＥＳ）、ＣＰＵ１０は、上記携帯電話番号に対応する電話帳データの一覧（パーソナル電話帳）を印刷させ、さらに続けて共同で使用される電話帳データの一覧（一般電話帳）を印刷させることにより、このパーソナル電話帳登録処理を終える。このとき、一般電話帳については、印刷させないとしても良い。
【００５６】
Ｓ８において、ユーザにより印刷指示がなされない場合（Ｓ８：ＮＯ）、ＣＰＵ１０は、そのままこのパーソナル電話帳登録処理を終える。
【００５７】
Ｓ６において、ユーザにより電話帳データを更新すべき指示がなされない場合（Ｓ６：ＮＯ）、ＣＰＵ１０は、ＮＶＲＡＭ１５に現存する電話帳データをそのままとした状態でＳ８に進む。
【００５８】
Ｓ４において、双方の電話帳データの内容が一致する場合についても（Ｓ４：ＹＥＳ）、ＣＰＵ１０は、ＮＶＲＡＭ１５に現存する電話帳データをそのままとした状態でＳ８に進む。このとき、ユーザの操作に応じて新たな電話帳データを追加するとしても良い。
【００５９】
Ｓ２において、取得した携帯電話番号が未登録の場合（Ｓ２：ＮＯ）、ＣＰＵ１０は、その携帯電話番号に対応したパーソナル電話帳のための新規エリアを開設する（Ｓ１０）。つまり、ＮＶＲＡＭ１５においては、既に登録済みの電話帳データが存在するエリアとは別にして新規エリアが設けられ、その新規エリアとＳ１にて取得した携帯電話番号とが一対一の対応関係にあることがテーブル領域に記される。なお、このとき確保するエリアは、「０」すなわちテーブル（管理）領域とし、情報を取得するごとに動的に確保するようにしても良い。
【００６０】
こうしてパーソナル電話帳の新規エリアを開設した後、ＣＰＵ１０は、その新規エリアに対して現時点で接続状態にある携帯型電話機Ｂから取り込んだ電話帳データを登録し（Ｓ１１）、その後Ｓ８に進む。
【００６１】
次に、図５は、パーソナル電話帳検索処理の動作手順を示すフローチャートである。なお、この処理が始まる際にも、携帯型電話機Ｂが接続されているとするが、このときの携帯型電話機Ｂは、先述のパーソナル電話帳登録処理に既に用いられたものでも、あるいは未だ用いられていないものでもどちらであっても良い。
【００６２】
図５において、携帯型電話機Ｂが接続状態にある場合、ＣＰＵ１０は、携帯型電話機Ｂと制御コマンドをやり取りしてそれから携帯電話番号を取得する（Ｓ２１）。
【００６３】
取得した携帯電話番号がＮＶＲＡＭ１５のテーブル領域に既に登録済みの場合（Ｓ２２：ＹＥＳ）、ＣＰＵ１０は、その携帯型電話機Ｂから直接電話帳データを読み出して表示部２４に表示させる（Ｓ２３）。
【００６４】
携帯型電話機Ｂの電話帳データを表示し終えると、ＣＰＵ１０は、続いて上記携帯電話番号に対応して既にＮＶＲＡＭ１５に登録済みとされたパーソナル電話帳を読み出して表示部２４に表示させる（Ｓ２４）。
【００６５】
このような表示を経てユーザにより何らかの検索文字が入力されると（Ｓ２５：ＹＥＳ）、ＣＰＵ１０は、携帯型電話機Ｂの電話帳データとＮＶＲＡＭ１５に登録済みとされたパーソナル電話帳とを対象として、該当する電話帳データの検索処理を行う（Ｓ２６）。
【００６６】
検索結果がある場合（Ｓ２７：ＹＥＳ）、ＣＰＵ１０は、検索結果として該当する全ての電話帳データを順次表示させる（Ｓ２８）。
【００６７】
検索結果として表示された電話帳データのなかに目的とする電話帳データが見当たらず、ユーザにより電話帳を変更する操作がなされた場合（Ｓ２９：ＹＥＳ）、ＣＰＵ１０は、ＮＶＲＡＭ１５から一般電話帳を読み出して表示部２４に表示させる（Ｓ３０）。
【００６８】
そして、ＣＰＵ１０は、一般電話帳を対象として該当する電話帳データの検索処理を行う（Ｓ３１）。
【００６９】
検索結果がある場合（Ｓ３２：ＹＥＳ）、ＣＰＵ１０は、検索結果として一般電話帳内において該当する全ての電話帳データを順次表示させる（Ｓ３３）。
【００７０】
このような表示を経てユーザにより目的とする電話帳データが選択されると（Ｓ３４：ＹＥＳ）、ＣＰＵ１０は、その電話帳データに含まれる相手先電話番号を公衆電話回線２８上に送出するといった発呼処理を行い（Ｓ３５）、このパーソナル電話帳検索処理を終える。
【００７１】
Ｓ３４において、検索結果として表示された電話帳データのなかに目的とする電話帳データが見当たらず、ユーザにより何ら選択操作がなされない場合（Ｓ３４：ＮＯ）、ＣＰＵ１０は、発呼処理を行うことなくそのままパーソナル電話帳検索処理を終える。
【００７２】
Ｓ３２において、検索結果として該当する電話帳データがない場合（Ｓ３２：ＮＯ）、ＣＰＵ１０は、発呼処理を行うことなくそのままパーソナル電話帳検索処理を終える。
【００７３】
Ｓ２９において、ユーザにより電話帳を変更する操作がなされない場合も（Ｓ２９：ＮＯ）、ＣＰＵ１０は、発呼処理を行うことなくそのままパーソナル電話帳検索処理を終える。
【００７４】
Ｓ２７において、検索結果として該当する電話帳データがない場合（Ｓ２７：ＮＯ）、ＣＰＵ１０は、Ｓ３０に進む。
【００７５】
Ｓ２５において、ユーザにより検索文字が入力されることなく（Ｓ２５：ＮＯ）、表示内容から直接目的とする電話帳データが選択されると（Ｓ３６：ＹＥＳ）、ＣＰＵ１０は、Ｓ３５に進んでこの時点で選択された電話帳データに含まれる相手先電話番号を公衆電話回線２８上に送出するといった発呼処理を行う。
【００７６】
一方、Ｓ３６において、目的とする電話帳データが選択されることもなく、ユーザにより何ら操作がなされない場合（Ｓ３６：ＮＯ）、ＣＰＵ１０は、発呼処理を行うことなくそのままパーソナル電話帳検索処理を終える。
【００７７】
Ｓ２２において、取得した携帯電話番号が未登録の場合（Ｓ２２：ＮＯ）、ＣＰＵ１０は、Ｓ３０に進む。
【００７８】
なお、上記は一例であり、Ｓ２４のステップを変更し、携帯型電話機Ｂに蓄積されている情報とファクシミリ装置Ａに蓄積されている情報とを比較する手段を持ち、相違する情報のみ出力するようにしても良い。
【００７９】
次に、図６は、電話帳登録処理の初期動作手順を示すフローチャートである。なお、この処理が始まる際には、携帯型電話機Ｂが接続された状態でも、あるいは接続されていない状態でもどちらであっても良い。
【００８０】
図６において、最初にＣＰＵ１０は、携帯型電話機Ｂが接続された状態にあるか否かを調べる（Ｓ４１）。
【００８１】
携帯型電話機Ｂが接続されておらず（Ｓ４１：ＮＯ）、ユーザにより直接携帯電話番号が入力されることもない場合（Ｓ４２：ＮＯ）、ＣＰＵ１０は、一般電話帳に対して電話帳データを登録する処理を行い（Ｓ４３）、その後この電話帳登録処理を終える。つまり、Ｓ４３においては、共同で用いられる電話帳データがユーザのマニュアル操作に応じて登録されることとなる。
【００８２】
Ｓ４２において、ユーザにより直接携帯電話番号が入力された場合（Ｓ４２：ＹＥＳ）、ＣＰＵ１０は、その入力された携帯電話番号に対応するパーソナル電話帳に対して電話帳データを登録する処理を行い（Ｓ４４）、その後この電話帳登録処理を終える。つまり、Ｓ４４においては、特定の携帯型電話機を接続した場合に利用できる電話帳データがユーザのマニュアル操作に応じて登録されることとなる。
【００８３】
Ｓ４１において、携帯型電話機Ｂが接続されている場合（Ｓ４１：ＹＥＳ）、ＣＰＵ１０は、Ｓ４４に進んでその携帯型電話機Ｂから取得した携帯電話番号に対応するパーソナル電話帳に対して電話帳データを登録する処理を行う。つまり、この場合には、接続状態にある携帯型電話機Ｂに応じて利用できる電話帳データがユーザのマニュアル操作に応じて登録されることとなる。このとき、図４のＳ１１と同様に、現時点で接続状態にある携帯型電話機Ｂから取り込んだ電話帳データを登録したり、自動的にパーソナル電話帳を更新するとしても良い。
【００８４】
次に、図７は、電話帳検索処理の初期動作手順を示すフローチャートである。なお、この処理が始まる際には、携帯型電話機Ｂが接続された状態でも、あるいは接続されていない状態でもどちらであっても良い。
【００８５】
図７において、最初にＣＰＵ１０は、携帯型電話機Ｂが接続された状態にあるか否かを調べる（Ｓ５１）。
【００８６】
携帯型電話機Ｂが接続されておらず（Ｓ５１：ＮＯ）、ユーザにより直接携帯電話番号が入力されることもない場合（Ｓ５２：ＮＯ）、ＣＰＵ１０は、一般電話帳を対象として電話帳データを検索する処理を行い（Ｓ５３）、その後この電話帳検索処理を終える。つまり、Ｓ５３においては、共同で用いられる電話帳データの中からユーザが目的とする電話帳データを呼び出すことができる。
【００８７】
Ｓ５２において、ユーザにより直接携帯電話番号が入力された場合（Ｓ５２：ＹＥＳ）、ＣＰＵ１０は、その入力された携帯電話番号に対応するパーソナル電話帳を対象として電話帳データを検索する処理を行い（Ｓ５４）、その後この電話帳検索処理を終える。つまり、Ｓ５４においては、特定の携帯型電話機を接続した場合に利用できる電話帳データの中からユーザが目的とする電話帳データを呼び出すことができる。
【００８８】
Ｓ５１において、携帯型電話機Ｂが接続されている場合（Ｓ５１：ＹＥＳ）、ＣＰＵ１０は、Ｓ５４に進んでその携帯型電話機Ｂから取得した携帯電話番号に対応するパーソナル電話帳を対象として電話帳データを検索する処理を行う。つまり、この場合には、接続状態にある携帯型電話機Ｂに応じて利用できる電話帳データの中からユーザが目的とする電話帳データを呼び出すことができる。
【００８９】
次に、図８は、伝言メッセージ再生処理の動作手順を示すフローチャートである。なお、この処理を始めるにあたっては、先述したパーソナル電話帳と同様に、携帯型電話機Ｂの携帯電話番号に対応して伝言メッセージデータをＮＶＲＡＭ１５に記録すべく、その携帯電話番号に対応したエリアが設けられているとする。各携帯電話番号に対応したエリアには、伝言メッセージデータが既に記録されているとしても、あるいは未だ記録されていなくてもどちらであっても良い。
【００９０】
図８において、最初にＣＰＵ１０は、携帯型電話機Ｂが接続された状態にあるか否かを調べる（Ｓ６１）。
【００９１】
携帯型電話機Ｂが接続されておらず（Ｓ６１：ＮＯ）、ユーザにより直接携帯電話番号が入力されることもない場合（Ｓ６２：ＮＯ）、ＣＰＵ１０は、一般メッセージデータを再生する処理を行い（Ｓ６３）、その後この伝言メッセージ再生処理を終える。一般メッセージデータとは、一般電話帳と同様に共同で利用できる伝言メッセージデータの一群を意味する。つまり、Ｓ６３においては、共同で用いるために記録された伝言メッセージデータを再生することができるのである。
【００９２】
Ｓ６２において、ユーザにより直接携帯電話番号が入力された場合（Ｓ６２：ＹＥＳ）、ＣＰＵ１０は、その入力された携帯電話番号に対応する伝言メッセージデータがＮＶＲＡＭ１５に記録されているか否かを調べる（Ｓ６４）。
【００９３】
携帯電話番号に対応する伝言メッセージデータがある場合（Ｓ６４：ＹＥＳ）、ＣＰＵ１０は、パーソナルメッセージデータを再生する処理を行い（Ｓ６５）、その後この伝言メッセージ再生処理を終える。パーソナルメッセージデータとは、パーソナル電話帳と同様に、携帯電話番号ごとに対応して利用できる伝言メッセージデータの一群を意味する。つまり、Ｓ６５においては、携帯電話番号をパスワード代わりに用い、その携帯電話番号に対応して記録された伝言メッセージデータを再生することができるのである。
【００９４】
一方、Ｓ６４において、携帯電話番号に対応する伝言メッセージデータがない場合（Ｓ６４：ＮＯ）、ＣＰＵ１０は、そのままこの伝言メッセージ再生処理を終える。
【００９５】
Ｓ６１において、携帯型電話機Ｂが接続されている場合（Ｓ６１：ＹＥＳ）、ＣＰＵ１０は、Ｓ６４に進んでその携帯型電話機Ｂから取得した携帯電話番号に対応する伝言メッセージデータがＮＶＲＡＭ１５に記録されているか否かを調べる。つまり、この場合には、接続状態にある携帯型電話機Ｂに応じて利用できる伝言メッセージデータがＮＶＲＡＭ１５に記録されていると、携帯型電話機Ｂそのものをパスワード代わりに用いて対応する伝言メッセージデータを再生することができるのである。
【００９６】
次に、図９は、伝言メッセージリモート再生処理の動作手順を示すフローチャートである。なお、この処理を始めるにあたっても、携帯型電話機Ｂの携帯電話番号に対応して伝言メッセージデータをＮＶＲＡＭ１５に記録すべく、その携帯電話番号に対応したエリアが設けられているとする。各携帯電話番号に対応したエリアには、伝言メッセージデータが既に記録されているとしても、あるいは未だ記録されていなくてもどちらであっても良い。
【００９７】
図９において、最初にＣＰＵ１０は、公衆電話回線２８を通じて着信があるか否かを監視している（Ｓ７１）。
【００９８】
着信があった場合（Ｓ７１：ＹＥＳ）、ＣＰＵ１０は、その着信に応じて発信元から発信者電話番号の通知があるか否かを調べる（Ｓ７２）。
【００９９】
発信元から発信者電話番号の通知がない場合（Ｓ７２：ＮＯ）、さらにＣＰＵ１０は、ＮＶＲＡＭ１５に登録済みの携帯電話番号が発信元のリモート操作に応じて入力されたか否かを監視する（Ｓ７３）。
【０１００】
発信元からリモート操作によって携帯電話番号が入力されない場合（Ｓ７３：ＮＯ）、ＣＰＵ１０は、携帯電話番号の入力とは異なる所定のリモート操作に応じた入力信号を発信元から受信することにより、図８のＳ６３と同様に、一般メッセージデータの再生処理を行い（Ｓ７４）、その後この伝言メッセージリモート再生処理を終える。この場合、再生された伝言メッセージは、公衆電話回線２８を通じて発信元に伝えられることとなる。
【０１０１】
Ｓ７３において、発信元からリモート操作によって携帯電話番号が入力された場合（Ｓ７３：ＹＥＳ）、ＣＰＵ１０は、図８のＳ６５と同様に、パーソナルメッセージデータの再生処理を行い（Ｓ７５）、その後この伝言メッセージリモート再生処理を終える。この場合、入力された携帯電話番号に対応する伝言メッセージデータが再生されることとなり、そうして再生された伝言メッセージは、公衆電話回線２８を通じて発信元に伝えられることとなる。
【０１０２】
Ｓ７２において、発信元から発信者電話番号の通知がある場合（Ｓ７２：ＹＥＳ）、ＣＰＵ１０は、Ｓ７５に進む。この場合、発信元から通知された携帯電話番号に対応する伝言メッセージデータが再生されることとなり、そうして再生された伝言メッセージは、公衆電話回線２８を通じて発信元に伝えられることとなる。
【０１０３】
Ｓ７１において、着信がない場合（Ｓ７１：ＮＯ）、ＣＰＵ１０は、着信があるまでＳ７１に繰り返し戻って待機する。
【０１０４】
次に、図１０は、対応電話帳変更処理の動作手順を示すフローチャートである。なお、この処理を始めるにあたっては、携帯型電話機の買い替えなどに応じて携帯電話番号を変更するための所定の操作がユーザにより行われるとする。
【０１０５】
図１０に示すように、ＣＰＵ１０は、携帯電話番号を変更するための操作に応じて旧携帯電話番号を取得する（Ｓ８１）。ここで、旧携帯電話番号とは、変更する前に利用していた携帯電話番号であって、ユーザにより入力されるものである。なお、旧携帯電話番号は、ユーザにより直接入力されるほか、既に登録済みの携帯電話番号の一覧からユーザが選択するようにしても良い。
【０１０６】
そして、ＣＰＵ１０は、入力された旧携帯電話番号が既に登録済みの携帯電話番号であるか否かを判断する（Ｓ８２）。
【０１０７】
入力された旧携帯電話番号が登録済みの場合（Ｓ８２：ＹＥＳ）、ＣＰＵ１０は、ユーザの入力操作に応じて新しい携帯電話番号を取得する（Ｓ８３）。なお、新規の携帯型電話機Ｂが既に接続された状態にある場合には、その携帯型電話機Ｂと制御コマンドをやり取りして新しい携帯電話番号を取得するとしても良い。
【０１０８】
最終的に、ＣＰＵ１０は、ユーザにより携帯電話番号の書き換えを指示する操作がなされると（Ｓ８４：ＹＥＳ）、登録済みの携帯電話番号を新しい携帯電話番号に書き換える処理を行い（Ｓ８５）、その後この対応電話帳変更処理を終える。つまり、ＮＶＲＡＭ１５のテーブル領域に既存の旧携帯電話番号は、新しい携帯電話番号に変更される。なお、携帯電話番号を変更する際に新規の携帯型電話機Ｂが接続された状態にある場合は、旧携帯電話番号に対応したパーソナル電話帳を新規の携帯型電話機Ｂに対して転送するとしても良い。そうした場合、買い替え前に利用していたパーソナル電話帳が新規の携帯型電話機Ｂに一括して登録され、ユーザの手間を省くことができる。
【０１０９】
Ｓ８４において、ユーザにより携帯電話番号の書き換えが許可されない場合（Ｓ８４：ＮＯ）、ＣＰＵ１０は、書き換え中止のメッセージを表示させ（Ｓ８６）、その後この対応電話帳変更処理を終える。
【０１１０】
Ｓ８２において、入力された携帯電話番号が登録済みの携帯電話番号に無い場合（Ｓ８２：ＮＯ）、ＣＰＵ１０は、入力間違いによりユーザに対して再入力を促すためのメッセージを表示させ（Ｓ８７）、その後Ｓ８１に戻る。
【０１１１】
したがって、上記ファクシミリ装置Ａによれば、携帯型電話機Ｂの携帯電話番号と一対一に対応するエリアがＮＶＲＡＭ１５に確保され、そのエリアに該当する携帯型電話機Ｂの電話帳データが登録されるので、携帯電話番号を主キーとして携帯型電話機ごとに電話帳データを簡単に登録することができ、ＮＶＲＡＭ１５の記憶容量が許す限り多くの携帯型電話機に対処することができる。
【０１１２】
また、既に携帯電話番号が登録済みとされた携帯型電話機が接続状態にある場合には、その携帯電話番号を主キーとして対応するＮＶＲＡＭ１５のエリアからパーソナル電話帳を簡単に呼び出すことができる。
【０１１３】
さらに、携帯型電話機の携帯電話番号と一対一に対応するエリアがＮＶＲＡＭ１５に確保され、各エリアごとに伝言メッセージデータが記録されるので、携帯電話番号をパスワード代わりに用いて接続状態にある携帯型電話機に応じた伝言メッセージデータを再生させることができ、ＮＶＲＡＭ１５の記憶容量が許す限り多くの携帯型電話機に対処することができる。
【０１１４】
なお、本発明は、上記の実施形態に限定されるものではない。
【０１１５】
通信装置としては、携帯型電話機を接続可能とした据置型電話機などにも適用できる。携帯型電話機との接続方式は、有線によるか無線によるかを問わない。ただし、無線で接続する方式では、複数の携帯型電話機が無線通信圏内に存在する場合、どの携帯型電話機と接続するかをユーザが選択するための接続装置選択手段、および強制的に接続を切り離すなどのための手段を設け、接続の制御を行う必要がある。
【０１１６】
携帯型通信機としては、携帯型電話機に限らず、たとえば電子手帳などといった携帯情報端末であっても良い。
【０１１７】
蓄積情報は、電話帳データに限らず、電子メールデータや留守録機能などに応じて録音された録音データであっても良い。伝言情報についても、伝言メッセージデータに限らず、電子メールデータや留守録機能などに応じて録音された録音データであっても良い。
【０１１８】
また、他の実施形態としては、たとえばユーザにより通話用の相手先電話番号を呼び出すための操作がなされた場合、そのような通話用電話番号が主として多く登録された携帯型電話機から先に電話帳を呼び出して表示や印字を行い、その次にパーソナル電話帳について行い、最後に一般電話帳について表示や印字を行う順としても良い。その一方、ユーザによりファクシミリ通信用の相手先電話番号を呼び出すための操作がなされた場合、一般にファクシミリ用電話番号を含むパーソナル電話帳から先に呼び出して表示や印字を行い、その次に一般電話帳について行い、最後に携帯型電話機の電話帳について表示や印字を行う順としても良い。これは、ユーザが呼び出したい電話番号の種類をほとんど含まない電話帳が先に呼び出されるとかえって使い難くなり、電話帳を呼び出す優先順位としては、ユーザにより選択された電話番号の種類を多く含む電話帳を優先的に呼び出す順とする方が使い勝手が良いからである。
【０１１９】
携帯電話番号の書き換えは、新規の携帯型電話機を接続するときに既存の携帯電話番号を書き換えるようにしても良い。
【０１２０】
【発明の効果】
以上説明したように、本発明に係る据置型電話機によれば、携帯型電話機の固有識別情報と一対一に対応して記憶手段に第２記憶領域が確保され、その第２記憶領域に当該携帯型電話機で登録された電話帳データが収められるので、固有識別情報を手がかりとして携帯型電話機ごとに電話帳データを簡単に登録することができ、記憶容量が許す限り多くの携帯型電話機に対処することができる。
【０１２１】
【０１２２】
【０１２３】
【０１２４】
【０１２５】
【０１２６】
【０１２７】
【０１２８】
【０１２９】
【０１３０】
【０１３１】
【０１３２】
【０１３３】
【０１３４】
さらに、本発明に係る記憶媒体によれば、記憶されたプログラムに基づいてＣＰＵを動作させることにより、請求項１に記載の据置型電話機の動作を実現することができる。
【図面の簡単な説明】
【図１】  本発明に係る据置型電話機の一実施形態として、ファクシミリ装置の外観を説明するための説明図である。
【図２】  ファクシミリ装置の回路構成を示したブロック図である。
【図３】  ＮＶＲＡＭのメモリマップ構造を簡略化して示した概要図である。
【図４】  パーソナル電話帳登録処理の動作手順を示すフローチャートである。
【図５】  パーソナル電話帳検索処理の動作手順を示すフローチャートである。
【図６】  電話帳登録処理の初期動作手順を示すフローチャートである。
【図７】  電話帳検索処理の初期動作手順を示すフローチャートである。
【図８】  伝言メッセージ再生処理の動作手順を示すフローチャートである。
【図９】  伝言メッセージリモート再生処理の動作手順を示すフローチャートである。
【図１０】  対応電話帳変更処理の動作手順を示すフローチャートである。
【符号の説明】
１０  ＣＰＵ
１１  ＮＣＵ
１２  ＲＡＭ
１３  モデム
１４  ＲＯＭ
１５  ＮＶＲＡＭ
１６  ゲートアレイ
１７  コーデック
１８  ＤＭＡＣ
２１  読取部
２２  印刷部
２３  操作部
２４  表示部
２５  外付接続部
２８  公衆電話回線
Ａ    ファクシミリ装置
Ｂ    携帯型電話機
【図１】
0003700583.tif 000002
【図２】
0003700583.tif 000003
【図３】
0003700583.tif 000004
【図４】
0003700583.tif 000005
【図５】
0003700583.tif 000006
【図６】
0003700583.tif 000007
【図７】
0003700583.tif 000008
【図８】
0003700583.tif 000009
【図９】
0003700583.tif 000010
【図１０】
0003700583.tif 000011